(57)【要約】【課題】  ジョイントボックスの通電確認機能を省略してコストを低減させることのできるジョイントボックス通電確認用検電器、及び電路計測器用アダプタを提供する。【解決手段】  検電器１の栓刃１５，１５間にネオンランプ１０と抵抗１１との直列回路が接続されており、栓刃１５，１５をジョイントボックス２の分岐線接続部３２の各々対応する刃受ばね３６，３６に挟持させると、ネオンランプ１０と抵抗１１との直列回路に電流が流れ、ネオンランプ１０は抵抗１１で限流された電流によって点灯し、ネオンランプ１０が点灯することによってジョイントボックス２の通電を確認することができる。【選択図】図１
2005142091.tif 000002
【特許請求の範囲】
【請求項１】
電源線を接続する電源線接続部、及び電源線接続部に電気的に接続された栓刃受け部でハーネスプラグの栓刃を挟持する分岐線接続部を具備するジョイントボックスの栓刃受け部で挟持される栓刃と、該栓刃の通電時に点灯する通電確認手段とを備えることを特徴とするジョイントボックス通電確認用検電器。
【請求項２】
前記通電確認手段は、栓刃をジョイントボックスの栓刃受け部に挟持させる場合に使用者が手で保持する箇所から離れた箇所に配置されることを特徴とする請求項１記載のジョイントボックス通電確認用検電器。
【請求項３】
ハーネスプラグの外郭とは異なる本器専用の外郭を備えることを特徴とする請求項１記載のジョイントボックス通電確認用検電器。
【請求項４】
電源線を接続する電源線接続部、及び電源線接続部に電気的に接続された栓刃受け部でハーネスプラグの栓刃を挟持する分岐線接続部を具備するジョイントボックスの栓刃受け部で挟持される栓刃と、該栓刃に電気的に接続するとともに、コンセントに挿入嵌合して電路の状態を検知する電路計測器の栓刃を接続する電路計測器接続部とを備えることを特徴とする電路計測器用アダプタ。
【発明の詳細な説明】
【技術分野】
【０００１】
本発明は家屋内の電気配線に使用されるジョイントボックスの通電を確認するためのジョイントボックス通電確認用検電器、及び電路計測器用アダプタに関するものである。
【背景技術】
【０００２】
分電盤などに接続された電源線を分岐するジョイントボックスと、コンセントやスイッチや各種電気的負荷に接続されたハーネスプラグとを用い、電線の複数の芯線が夫々接続されたハーネスプラグの複数本の栓刃をジョイントボックスの内部に設けられた刃受けばねに各々挟持させ電気接続を行う配線システムがある。（例えば、特許文献１参照）。
【０００３】
図１１はジョイントボックス２’の一例を示しており、ハウジング３０を偏平な直方体形状に形成して、ハウジング３０の対向する２面の一側には電源線を接続するための電源線接続部３１がそれぞれ設けられ、他側には分岐用の分岐線接続部３２がそれぞれ設けられており、電源線接続部３１及び分岐線接続部３２はそれぞれハウジング３０の端面から突出する形で形成されて、分岐線接続部３２を電源線接続部３１と略平行な方向に設けている。そして、ジョイントボックス２の通電状態を確認するために通電表示ランプ４０をハウジング３０の上面に設けて、通電時には点灯させている。
【特許文献１】特開平１１−２８５１３４号公報（段落番号［００２５］〜［００３４］、図１〜図４）
【発明の開示】
【発明が解決しようとする課題】
【０００４】
しかし、ジョイントボックス２’の１個１個に通電表示ランプ４０を設けているため、ジョイントボックス２’のコストアップの要因となっていた。また、電路の電圧、極性、導通のチェックを行い、そのチェック内容をブザー、ランプ等で報知する電路計測器があるが、通常のコンセントモジュールのみに対応して、ジョイントボックスには対応していないので、電路計測器をジョイントボックスの通電確認に用いることはできなかった。
【０００５】
本発明は、上記事由に鑑みてなされたものであり、その目的は、ジョイントボックスの通電確認機能を省略してコストを低減させることのできるジョイントボックス通電確認用検電器、及び電路計測器用アダプタを提供することにある。
【課題を解決するための手段】
【０００６】
請求項１の発明は、電源線を接続する電源線接続部、及び電源線接続部に電気的に接続された栓刃受け部でハーネスプラグの栓刃を挟持する分岐線接続部を具備するジョイントボックスの栓刃受け部で挟持される栓刃と、該栓刃の通電時に点灯する通電確認手段とを備えることを特徴とする。
【０００７】
この発明によれば、ジョイントボックス側に通電確認の表示機能を設ける必要がないため、ジョイントボックスのコストを低減することができる。また、複数のジョイントボックスに対して少なくとも１個のジョイントボックス通電確認用検電器を用意すればよく、効率的である。
【０００８】
請求項２の発明は、請求項１において、前記通電確認手段は、栓刃をジョイントボックスの栓刃受け部に挟持させる場合に使用者が手で保持する箇所から離れた箇所に配置されることを特徴とする。
【０００９】
この発明によれば、通電確認手段が見やすく、通電確認を容易に行うことができる。
【００１０】
請求項３の発明は、請求項１において、ハーネスプラグの外郭とは異なる本器専用の外郭を備えることを特徴とする。
【００１１】
この発明によれば、本器製品のコストを低減することができる。
【００１２】
請求項４の発明は、電源線を接続する電源線接続部、及び電源線接続部に電気的に接続された栓刃受け部でハーネスプラグの栓刃を挟持する分岐線接続部を具備するジョイントボックスの栓刃受け部で挟持される栓刃と、該栓刃に電気的に接続するとともに、コンセントに挿入嵌合して電路の状態を検知する電路計測器の栓刃を接続する電路計測器接続部とを備えることを特徴とする。
【００１３】
この発明によれば、ジョイントボックス側に通電確認の表示機能を設ける必要がないため、ジョイントボックスのコストを低減することができる。また、複数のジョイントボックスに対して少なくとも各１個の電路計測器と電路計測器用アダプタとを用意すればよく、効率的である。
【発明の効果】
【００１４】
以上説明したように、本発明では、ジョイントボックスの通電確認機能を省略してコストを低減させることができるという効果がある。
【発明を実施するための最良の形態】
【００１５】
以下、本発明の実施の形態を図面に基づいて説明する。
【００１６】
（実施形態１）
本実施形態のジョイントボックス通電確認用検電器１（以下検電器１と称す）について図１，図２（ａ）〜（ｅ）を参照して説明し、ジョイントボックス２について図３を参照して説明する。検電器１は、ハーネスプラグと同一の構造を有するハウジング１３を備え、ハウジング１３の前面には受け側となるジョイントボックス２と嵌合する凹部１４が形成されて、この凹部１４の内底面にはハーネスプラグと同一の構造を有する２本の栓刃１５が先端を凹部１４の開口に臨ませて配設されている。検電器１のハウジング１３は合成樹脂製のボディ１３ａとカバー１３ｂとで構成される。ボディ１３ａは下面及び前面が開口した略箱状に形成され、隔壁１６により内部が前後の空間に分離され、前方に形成される凹所１４ａにより上記ジョイントボックス２の分岐線接続部３２（図３参照）が挿入される凹部１４が形成されている。上記隔壁１６には、栓刃１５を圧入して固定する固定溝１７を３箇所に形成してあり、３箇所の内、図１（下面図）の右側２箇所の固定溝１７に栓刃１５を各々取り付けると、凹所１４ａ内に各栓刃１５の先端部が列設されることになる。そして、ボディ１３ａの後方の内部空間は、ボディ１３ａの長手方向に沿って走る２条の隔壁１８でさらに３つの収納室に分離され、３つの収納室の内、図１（下面図）の右側２箇所の収納室内に栓刃１５が各々収められる。栓刃１５は導電材料から板状に形成され、基端部を各収納室の一内側面に当接するように折曲し、この基端部から横向きに接触片１５ａを形成してある。
【００１７】
そして隔壁１８の後方には略柱体のネオンランプ１０がその両端をボディ１３ａの短手方向に向けて配置されており、ネオンランプ１０の一方の端子１０ａを中央の栓刃１５の接触片１５ａに接続している。このとき、ネオンランプ１０はボディ１３ａの後方に設けた矩形の確認窓１９に対向しており、ネオンランプ１０の点灯状態を確認窓１９を介して確認することができる。また、一端側（図１の右側）の収納室に配された栓刃１５の後方には抵抗１１が配置され、抵抗１１の一方の端子１１ａは一端側の収納室に配された栓刃１５の接触片１５ａに接続され、他方の端子１１ｂはネオンランプ１０の他方の端子１０ｂに接続される。すなわち、栓刃１５，１５間にネオンランプ１０と抵抗１１との直列回路が接続されている。
【００１８】
そして、ボディ１３ａの下面は、上面と前面とが開口する略箱状に形成されたカバー１３ｂが被着しており、ボディ１３ａの下面の４箇所にねじ孔２０を形成し、カバー１３ｂに形成された挿通孔を介してねじ２１をねじ孔２０に螺挿して、ボディ１３ａにカバー１３ｂを被着する構造としてある。
【００１９】
ボディ１３ａの凹所１４ａの内底面には、後述するジョイントボックス２の分岐線接続部３２に形成された逆差し防止溝３３（図３参照）に嵌まって検電器１の挿着方向に沿って走る誤接続防止部としての突条２２が形成されており、これにより逆差しあるいは定格や用途の異なるジョイントボックス２が誤って接続されるのを防止するようにしてある。
【００２０】
また、検電器１にはジョイントボックス２との抜けを防止するために、ジョイントボックス２の分岐線接続部３２に形成された係止溝３４に係止離脱自在に係止する合成樹脂等の可撓性を有する材料で形成されたロック体２３を確認窓１９の前方に備えており、このロック体２３をボディ１３ａ側に備える構造としてある。なお、ロック体２３の解除時に指で操作される上面には、横方向に走る複数条の突条からなる滑り止め２３ａを形成してある。
【００２１】
次に検電器１が差し込まれるジョイントボックス２は図３に示すように、そのハウジング３０を偏平な直方体形状に形成しており、ハウジング３０の対向する２面の一側には電源線を接続するための電源線接続部３１がそれぞれ設けられ、他側には分岐用の分岐線接続部３２がそれぞれ設けられており、電源線接続部３１及び分岐線接続部３２はそれぞれハウジング３０の端面から突出する形で形成されて、分岐線接続部３２を電源線接続部３１と略平行な方向に設けている。そして、分岐線接続部３２内部には、接地２ピンのハーネスプラグが具備する３本の栓刃を各々挟持する３つの刃受けばね３６（図４参照）を備えており、各刃受けばね３６は電源線接続部３１を介して電源線に接続している。
【００２２】
そして、ジョイントボックス２への検電器１の接続は、ボディ１３ａの確認窓１９の後方近傍に設けた横方向に走る複数条の突条からなる滑り止め２４付近を手で保持し、突条２２が逆差し防止溝３３に嵌まるように検電器１の凹部１４とジョイントボックス２の分岐線接続部３２との向きを合わせ、検電器１をジョイントボックス２に押し込むと、図４に示すように凹部１４と分岐線接続部３２とが嵌合し、栓刃１５，１５が分岐線接続部３２の端面に形成された栓刃挿入口３５に挿入されて、栓刃１５，１５が、各々対応する刃受ばね３６，３６に挟持される。このとき、栓刃１５，１５には、電源線に電気的に接続した刃受けばね３６，３６を介して電源が供給されており、栓刃１５，１５間に接続したネオンランプ１０と抵抗１１との直列回路に電流が流れ、ネオンランプ１０は抵抗１１で限流された電流によって点灯する。つまり、検電器１のネオンランプ１０が点灯することによってジョイントボックス２の通電を確認することができるのである。したがって、ジョイントボックス２側に通電確認の表示機能を設ける必要がないため、ジョイントボックス２のコストを低減することができる。また、複数のジョイントボックス２に対して少なくとも１個の検電器１を用意すればよく、効率的である。さらに本実施形態ではハーネスプラグと同一のハウジング１３、栓刃１５を用いているので、ジョイントボックス２への接続時（特に常時接続時）において、接続信頼性を十分に確保できる。
【００２３】
また、この接続時にはロック体２３の係止爪が係止溝３４に係止して抜け止めが施されるが、ジョイントボックス２から検電器１を外すときにはロック体２３を押し込んで、ロック体２３の係止爪と分岐線接続部３２の係止溝３４との係止状態を解除し、検電器１を後方に引き抜けばよい。
【００２４】
（実施形態２）
本実施形態の検電器１は図５（ａ）〜（ｅ），図６に示すように、実施形態１の検電器１からロック体２３を省略するとともに、実施形態１に比べて栓刃１５の長さ寸法を短くした（例えば、実施形態１に比べて２．５ｍｍ短くする）ものであり、簡易、小型の構成とすることで検電器１のコストダウンを図っている。なお、他の構成は実施形態１と同様であり、説明は省略する。
【００２５】
（実施形態３）
本実施形態の検電器１は図７（ａ）〜（ｅ）に示すように、実施形態２の検電器１の確認窓１９をボディ１３ａの前面側に設けて、後面側に設けた滑り止め２４との間にスペースを設けるとともに、ネオンランプ１０をボディ１３ａの前面側に配して、確認窓１９を介してネオンランプ１０の点灯状態を確認できるようにしたもので、ジョイントボックス２に検電器１を接続するために滑り止め２４付近を手で保持した場合に、確認窓１９が手から離れているので手が邪魔することなく確認窓１９が見やすくなり、通電確認を容易に行うことができる。なお、他の構成は実施形態２と同様であり、説明は省略する。
【００２６】
（実施形態４）
本実施形態の検電器１はハウジングの形状が実施形態１〜３と異なるもので、図８（ａ）〜（ｅ）に示すように本実施形態のハウジング５３は略箱状に形成され、その前面には２本の栓刃１５が先端を前方に向けて突設されており、栓刃１５，１５は下方から見て中央及び右側に並設されている。検電器１のハウジング５３は合成樹脂製のボディ５３ａとカバー５３ｂとで構成されており、ボディ５３ａは下面が開口した略箱状に形成され、上面前端の略中央には矩形の突片５０が前方に向けて突設され、突片５０の下方には中央の栓刃１５が位置する。そして、突片５０の両側端から下方に向けて誤接続防止用リブ５０ａが形成されており、ジョイントボックス２の分岐線接続部３２に設けた逆差し防止溝３３（図３参照）に装着方向に沿って嵌まることで、逆差しあるいは定格や用途の異なるジョイントボックス２が誤って接続されるのを防止するようにしてある。また、ボディ５３ａの下面は、上面が開口する略箱状に形成されたカバー５３ｂが被着しており、ボディ５３ａの下面の４箇所にねじ孔を形成し、カバー５３ｂに形成された挿通孔を介してねじ２１をねじ孔に螺挿して、ボディ５３ａにカバー５３ｂを被着する構造としてある。
【００２７】
そしてハウジング５３内部では、実施形態１〜３と同様に栓刃１５，１５間にはネオンランプ１０と抵抗１１との直列回路が接続され、ネオンランプ１０はボディ５３ａの後方に設けた矩形の確認窓１９に対向しており、ネオンランプ１０の点灯状態を確認窓１９を介して確認することができる。
【００２８】
また、ボディ５３ａの確認窓１９の後方近傍には、横方向に走る複数条の突条からなる滑り止め２４を設けており、ジョイントボックス２への検電器１の接続時には、滑り止め２４付近を手で保持するようにしている。
【００２９】
本実施形態のハウジング５３の構造は検電器専用であって、ハーネスプラグと同一の構造を有する実施形態１〜３のハウジング１３に比べて簡易、小型であり、検電器１のコストダウンを図っている。また実施形態１に比べて栓刃１５の長さ寸法、及び幅寸法を短くしており、さらなる小型化、コストダウンを図ることができる。なお、他の構成は実施形態１と同様であり、説明は省略する。
【００３０】
（実施形態５）
本実施形態は図９に示すように、電路の電圧、極性、導通のチェックを行い、そのチェック内容をブザー、ランプ等で報知する電路計測器６０を用いて、ジョイントボックス２の通電を確認するものである。電路計測器６０は、略箱状のハウジング６１の前面に直方体の凸部６２を設け、凸部６２の前面には２本の栓刃６３が並設されているが、通常のコンセントモジュールにのみ挿入嵌合可能なもので、ジョイントボックス２の分岐線接続部３２に直接接続できる形状ではない。そこで本実施形態では、電路計測器用アダプタとしてハーネス用アダプタ７０を介して電路計測器６０をジョイントボックス２に接続している。
【００３１】
ハーネス用アダプタ７０はハウジング７１を備え、ハウジング７１の前面には電路計測器接続部として、電路計測器６０の凸部６２と嵌合する凹部７２が形成されて、この凹部７２の内底面には電路計測器６０の栓刃６３，６３が挿入される栓刃挿入口７３が形成される。栓刃挿入口７３を挿通した各栓刃６３はハウジング７１内に配置された刃受けばねに各々挟持される。また図１０はハウジング７１の後面を示しており、ハウジング７１の後面には受け側となるジョイントボックス２と嵌合する凹部７４が形成されて、この凹部７４の内底面には２本の栓刃７５が先端を凹部７４の開口に臨ませて配設されている。各栓刃７５はハウジング７１内で刃受けばねに各々接続している。凹部７４の内側面には、ジョイントボックス２の逆差し防止溝３３（図３参照）に嵌まってハーネス用アダプタ７０の挿着方向に沿って走る誤接続防止部としての突条７６が形成されており、これにより逆差しあるいは定格や用途の異なるジョイントボックス２が誤って接続されるのを防止するようにしてある。
【００３２】
このようにハーネス用アダプタ７０を用いれば、通常の電路計測器６０によってジョイントボックス２の通電を確認することができる。したがって、ジョイントボックス２側に通電確認の表示機能を設ける必要がないため、ジョイントボックス２のコストを低減することができる。また、複数のジョイントボックス２に対して少なくとも各１個の電路計測器６０とハーネス用アダプタ７０とを用意すればよく、効率的である。
【図面の簡単な説明】
【００３３】
【図１】本発明の実施形態１の検電器のボディ側の内部を示す下面図である。
【図２】同上の検電器の構成を示し、（ａ）は上面図、（ｂ）は側面図、（ｃ）は下面図、（ｄ）は前面図、（ｅ）は後面図である。
【図３】同上のジョイントボックスを示す上面図である。
【図４】同上の検電器とジョイントボックスとの接続部を示す下面図である。
【図５】本発明の実施形態２の検電器の構成を示し、（ａ）は上面図、（ｂ）は側面図、（ｃ）は下面図、（ｄ）は前面図、（ｅ）は後面図である。
【図６】同上の検電器とジョイントボックスとの接続部を示す下面図である。
【図７】本発明の実施形態３の検電器の構成を示し、（ａ）は上面図、（ｂ）は側面図、（ｃ）は下面図、（ｄ）は前面図、（ｅ）は後面図である。
【図８】本発明の実施形態４の検電器の構成を示し、（ａ）は上面図、（ｂ）は側面図、（ｃ）は下面図、（ｄ）は前面図、（ｅ）は後面図である。
【図９】本発明の実施形態５のハーネス用アダプタと電路計測器との構成を示す斜視図である。
【図１０】同上のハーネス用アダプタの後面図である。
【図１１】従来のジョイントボックスを示す上面図である。
【符号の説明】
【００３４】
１  検電器
１０  ネオンランプ
１１  抵抗
１３  ハウジング
１４  凹部
１５  栓刃
１９  確認窓
【図１】
2005142091.tif 000003
【図２】
2005142091.tif 000004
【図３】
2005142091.tif 000005
【図４】
2005142091.tif 000006
【図５】
2005142091.tif 000007
【図６】
2005142091.tif 000008
【図７】
2005142091.tif 000009
【図８】
2005142091.tif 000010
【図９】
2005142091.tif 000011
【図１０】
2005142091.tif 000012
【図１１】
2005142091.tif 000013